【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、光路折り曲げ用の光学素子、２つ以上のレンズ群を含む後続レンズ群を有し、
ズーミングに際し、前記光学素子は不動であり、
ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔとするとき、
４．３＜β２ｔ／β２ｗ＜１２．０
２．１＜βＲｔ／βＲｗ＜３．０
なる条件式を満足することを特徴とするズームレンズ。
【請求項２】
物体側より像側へ順に、正の屈折力の第１レンズ群、負の屈折力の第２レンズ群、負の屈折力の第３レンズ群、光路折り曲げ用の光学素子、２つ以上のレンズ群を含む後続レンズ群を有し、
ズーミングに際し、前記光学素子は不動であり、
ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔとするとき、
４．３＜β２ｔ／β２ｗ＜１２．０
２．１＜βＲｔ／βＲｗ＜３．０
なる条件式を満足することを特徴とするズームレンズ。
【請求項３】
広角端から望遠端へのズーミングにおける前記第１レンズ群の像面に対する相対移動量をｍ１、広角端から望遠端へのズーミングにおける前記第２レンズ群の像面に対する相対移動量をｍ２、広角端から望遠端へのズーミングにおける前記後続レンズ群の中で最も変倍分担の大きいレンズ群の像面に対する相対移動量をｍＲ、広角端と望遠端における全系の焦点距離を各々ｆｗ、ｆｔとするとき、
０．１５＜｜ｍ１−ｍ２｜／ｆｔ＜０．３５
２．７＜｜ｍＲ｜／ｆｗ＜４．５
なる条件式を満足することを特徴とする請求項１又は２に記載のズームレンズ。
【請求項４】
前記第２レンズ群の焦点距離をｆ２、望遠端における全系の焦点距離をｆｔとするとき、
０．０６０＜｜ｆ２｜／ｆｔ＜０．１３０
なる条件式を満足することを特徴とする請求項１乃至３のいずれか１項に記載のズームレンズ。
【請求項５】
前記後続レンズ群の中で最も変倍分担の大きいレンズ群の焦点距離をｆＲ、望遠端における全系の焦点距離をｆｔとするとき、
０．１５＜｜ｆＲ｜／ｆｔ＜０．３０
なる条件式を満足することを特徴とする請求項１乃至４のいずれか１項に記載のズームレンズ。
【請求項６】
広角端から望遠端へのズーミングにおける前記後続レンズ群の中で最も変倍分担の大きいレンズ群の像面に対する相対移動量をｍＲ、前記後続レンズ群の中で最も変倍分担の大きいレンズ群の焦点距離をｆＲとするとき、
０．８５＜｜ｍＲ／ｆＲ｜＜１．５０
なる条件式を満足することを特徴とする請求項１乃至５のいずれか１項に記載のズームレンズ。
【請求項７】
前記後続レンズ群は、物体側より像側へ順に、負の屈折力の第３レンズ群、正の屈折力の第４レンズ群、負の屈折力の第５レンズ群、正の屈折力の第６レンズ群より構成され、ズーミングに際して前記第３レンズ群と前記第５レンズ群は不動であり、ズーミングに際して前記第４レンズ群と前記第６レンズ群が移動することを特徴とする請求項１、３乃至６のいずれか１項に記載のズームレンズ。
【請求項８】
前記後続レンズ群は、物体側より像側へ順に、正の屈折力の第４レンズ群、負の屈折力の第５レンズ群、正の屈折力の第６レンズ群より構成され、ズーミングに際して前記第３レンズ群と前記第５レンズ群は不動であり、ズーミングに際して前記第４レンズ群と前記第６レンズ群が移動することを特徴とする請求項２に記載のズームレンズ。
【請求項９】
前記後続レンズ群は、物体側より像側へ順に、正の屈折力の第３レンズ群、正の屈折力の第４レンズ群より構成され、ズーミングに際して前記第３レンズ群と前記第４レンズ群が移動することを特徴とする請求項１、３乃至６のいずれか１項に記載のズームレンズ。 
【請求項１０】
前記後続レンズ群は、物体側より像側へ順に、正の屈折力の第３レンズ群、負の屈折力の第４レンズ群、正の屈折力の第５レンズ群より構成され、ズーミングに際して前記第４レンズ群は不動であり、ズーミングに際して前記第３レンズ群と前記第５レンズ群は移動することを特徴とする請求項１、３乃至６のいずれか１項に記載のズームレンズ。
【請求項１１】
前記後続レンズ群は、物体側より像側へ順に、負の屈折力の第３レンズ群、正の屈折力の第４レンズ群、負の屈折力の第５レンズ群、正の屈折力の第６レンズ群より構成され、ズーミングに際して前記第３レンズ群は不動であり、ズーミングに際して前記第４レンズ群と前記第５レンズ群と前記第６レンズ群は移動することを特徴とする請求項１、３乃至６のいずれか１項に記載のズームレンズ。
【請求項１２】
固体撮像素子に像を形成することを特徴とする請求項１乃至１１のいずれか１項に記載のズームレンズ。
【請求項１３】
請求項１乃至１２のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１１
【補正方法】変更
【補正の内容】
【００１１】
本発明のズームレンズは、物体側より像側へ順に、正の屈折力の第１レンズ群、負の屈折力の第２レンズ群、光路折り曲げ用の光学素子、２つ以上のレンズ群を含む後続レンズ群を有し、
ズーミングに際し、前記光学素子は不動であり、
ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔとするとき、
４．３＜β２ｔ／β２ｗ＜１２．０
２．１＜βＲｔ／βＲｗ＜３．０
なる条件式を満足することを特徴としている。
この他本発明のズームレンズは、物体側より像側へ順に、正の屈折力の第１レンズ群、負の屈折力の第２レンズ群、負の屈折力の第３レンズ群、光路折り曲げ用の光学素子、２つ以上のレンズ群を含む後続レンズ群を有し、
ズーミングに際し、前記光学素子は不動であり、
ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔとするとき、
４．３＜β２ｔ／β２ｗ＜１２．０
２．１＜βＲｔ／βＲｗ＜３．０
なる条件式を満足することを特徴としている。
【手続補正３】
【補正対象書類名】明細書
【補正対象項目名】００１４
【補正方法】変更
【補正の内容】
【００１４】
以下、本発明のズームレンズ及びそれを有する撮像装置について説明する。本発明のズームレンズは、物体側より像側へ順に、正の屈折力の第１レンズ群、負の屈折力の第２レンズ群、光路折り曲げ用の光学素子、２つ以上のレンズ群を含む後続レンズ群を有する。そしてズーミングに際し、光学素子は不動であり、ズーミングに際して隣り合うレンズ群の間隔が変化するように第１レンズ群と第２レンズ群、及び後続レンズ群に含まれる２つ以上のレンズ群が移動する。
【手続補正４】
【補正対象書類名】明細書
【補正対象項目名】００１５
【補正方法】変更
【補正の内容】
【００１５】
若しくは物体側より像側へ順に、正の屈折力の第１レンズ群、負の屈折力の第２レンズ群、負の屈折力の第３レンズ群、光路折り曲げ用の光学素子、２つ以上のレンズ群を含む後続レンズ群を有する。そしてズーミングに際し、光学素子は不動であり、ズーミングに際して隣り合うレンズ群の間隔が変化するように第１レンズ群と第２レンズ群、及び後続レンズ群に含まれる２つ以上のレンズ群が移動する。ここで光路折り曲げ用の光学素子（反射手段）は、反射ミラー又は内面反射面を有するプリズム等である。
【手続補正５】
【補正対象書類名】明細書
【補正対象項目名】００８０
【補正方法】変更
【補正の内容】
【００８０】
正の屈折力の第３レンズ群Ｌ３の一部または全体を、光軸に対し垂直方向の成分を持つように移動させて、光軸に対し垂直方向に像を変移させている。これにより光学系（ズームレンズ）全体が振動（傾動）したときの撮影画像のぶれを補正している。すなわち防振を行っている。また、撮影画像のぶれ補正のために負の屈折力の第４レンズ群Ｌ４を、光軸に対して垂直方向の成分を持つように動かしても良い。
【手続補正６】
【補正対象書類名】明細書
【補正対象項目名】００９２
【補正方法】変更
【補正の内容】
【００９２】
非球面データ
第7面
K = 3.56807e-001  A 4=-1.97016e-004  A 6=-6.08143e-006  A 8= 2.52505e-007  A10=-1.37257e-008  
第16面
K = 1.44106e-001  A 4=-2.02062e-004  A 6= 3.63056e-006  A 8=-4.20493e-007  A10= 1.46253e-008  
第17面
K = 0.00000e+000  A 4= 5.42362e-006  A 6= 5.43526e-006  A 8=-5.03430e-007  A10= 1.81855e-008  
第21面
K =-1.54545e+001  A 4= 5.50390e-005  A 6= 3.40440e-006  A 8=-1.89333e-007  A10= 1.09743e-008  
各種データ
ズーム比     13.18 
広角     中間     望遠
焦点距離       5.16    19.89    68.01  
Fナンバー      3.33     4.95     5.77  
半画角（度）   33.16    11.03     3.26  
像高           3.37     3.88     3.88  
レンズ全長    73.13    77.36    86.99 
BF             7.48     9.57     6.52 
d 5            0.54     9.02    18.14  
d11            5.44     3.28     0.74  
d15           16.71     3.15     0.43  
d24            3.13    16.70    19.42  
d26            7.86     5.77     8.82  
d28            4.70     6.79     3.74  
【手続補正７】
【補正対象書類名】明細書
【補正対象項目名】００９４
【補正方法】変更
【補正の内容】
【００９４】
非球面データ
第7面
K = 1.37037e-001  A 4=-1.21694e-004  A 6=-2.46723e-007  A 8=-2.29008e-008  A10=-4.82840e-010  
第16面
K = 3.53907e-001  A 4=-1.71593e-004  A 6= 4.83183e-006  A 8=-2.00888e-007  A10=-6.58057e-010  
第17面
K = 0.00000e+000  A 4=-3.96853e-006  A 6= 6.51084e-006  A 8=-2.69720e-007  
第21面
K = 0.00000e+000  A 4= 1.75475e-004  A 6= 4.87085e-006  A 8= 1.42820e-008  A10= 1.03278e-009  
各種データ
ズーム比     16.98 
広角     中間     望遠
焦点距離       5.22    15.21    88.67  
Fナンバー      3.46     4.29     6.08  
半画角（度）   32.84    14.29     2.50  
像高           3.37     3.88     3.88  
レンズ全長    80.16    77.56    92.51 
BF             7.89    11.89     6.44 
d 5            0.55     7.56    17.07  
d11            6.36     0.75     0.74  
d15           18.27     8.37     0.42  
d24            3.13    13.03    20.98  
d26           10.41     6.41    11.87  
d28            5.11     9.11     3.65  
【手続補正８】
【補正対象書類名】明細書
【補正対象項目名】００９６
【補正方法】変更
【補正の内容】
【００９６】
非球面データ
第7面
K =-2.17063e-003  A 4=-4.27550e-005  A 6= 7.68348e-006  A 8=-4.89239e-007  A10= 1.51359e-008  
第17面
K = 6.62493e-002  A 4=-2.27638e-004  A 6= 3.94832e-007  A 8=-1.54196e-007  A10=-5.44903e-009  
第18面
K = 0.00000e+000  A 4=-4.38920e-005  A 6= 4.64653e-006  A 8=-4.11975e-007  
第21面
K = 0.00000e+000  A 4= 2.41988e-004  A 6= 9.08580e-006  A 8= 7.24863e-008  A10= 5.86327e-009  
各種データ
ズーム比     11.18 
広角     中間     望遠
焦点距離       5.17    13.78    57.82  
Fナンバー      3.41     4.89     5.77  
半画角（度）   33.09    15.70     3.83  
像高           3.37     3.88     3.88  
レンズ全長    69.17    72.61    84.78 
BF             8.87     9.32     5.98 
d 5            0.44     5.04    17.84  
d11            5.44     4.72     0.74  
d15           16.20     4.23     1.85  
d24            3.13    15.10    17.48  
d26            7.53     7.08    10.43  
d28            6.09     6.53     3.19  
【手続補正９】
【補正対象書類名】明細書
【補正対象項目名】００９８
【補正方法】変更
【補正の内容】
【００９８】
非球面データ
第7面
K = 2.37193e-001  A 4=-1.02322e-004  A 6=-1.87083e-006  A 8= 1.29457e-008  A10=-1.54018e-009  
第14面
K = 1.71627e-001  A 4=-1.86911e-004  A 6= 1.30969e-006  A 8=-3.87465e-007  A10= 2.76372e-008  
第15面
K = 0.00000e+000  A 4=-1.36039e-005  A 6= 2.90982e-006  A 8=-4.01768e-007  A10= 3.38589e-008  
第19面
K = 1.65060e+002  A 4= 5.45353e-005  A 6= 2.68368e-006  A 8=-1.59015e-007  A10= 1.74965e-008  
各種データ
ズーム比     14.45 
広角     中間     望遠
焦点距離       5.16    12.65    74.61  
Fナンバー      3.54     4.63     5.77  
半画角（度）   33.14    17.03     2.97  
像高           3.37     3.88     3.88  
レンズ全長    74.73    69.78    86.27 
BF             6.36    13.04     6.74 
d 5            0.51     4.88    16.89  
d11            5.19     2.55     0.73  
d13           19.83     7.81     1.04  
d22           10.82    16.16    29.23  
d25            3.58    10.25     3.95  
【手続補正１０】
【補正対象書類名】明細書
【補正対象項目名】０１００
【補正方法】変更
【補正の内容】
【０１００】
非球面データ
第7面
K = 7.52150e-002  A 4=-3.93686e-005  A 6= 8.95884e-006  A 8=-6.16794e-007  A10= 2.30798e-008  
第15面
K = 8.62579e-002  A 4=-2.06264e-004  A 6=-2.03365e-006  A 8=-2.51572e-007  A10= 1.20108e-010  
第16面
K = 0.00000e+000  A 4=-5.65666e-005  A 6= 1.02907e-006  A 8=-6.23153e-007  A10= 1.47642e-008  
第19面
K = 0.00000e+000  A 4= 2.26845e-004  A 6= 1.29837e-005  A 8=-6.94950e-007  A10= 4.57693e-008  
各種データ
ズーム比     13.19 
広角     中間     望遠
焦点距離       5.16    11.56    68.01  
Fナンバー      3.50     4.68     5.77  
半画角（度）   33.18    18.53     3.26  
像高           3.37     3.88     3.88  
レンズ全長    71.37    72.18    85.81 
BF             8.41     9.30     6.43 
d 5            0.52     3.74    17.80  
d11            5.57     4.04     0.74  
d13           17.86     7.16     2.05  
d22            3.13    13.83    18.94  
d24            8.86     7.97    10.84  
d26            5.63     6.51     3.64  
【手続補正１１】
【補正対象書類名】明細書
【補正対象項目名】０１０２
【補正方法】変更
【補正の内容】
【０１０２】
非球面データ
第7面
K = 8.19995e-002  A 4=-7.55869e-005  A 6=-2.98397e-006  A 8= 1.29543e-007  A10=-3.02166e-009  
第16面
K = 2.30102e-001  A 4=-1.98424e-004  A 6= 4.09245e-006  A 8=-2.01826e-007  A10=-3.68361e-009  
第17面
K = 0.00000e+000  A 4=-8.49659e-008  A 6= 7.51034e-006  A 8=-3.97670e-007  
第21面
K = 3.48251e+001  A 4= 1.01068e-004  A 6= 5.65942e-006  A 8=-1.69562e-007  A10= 5.90897e-009  
各種データ
ズーム比     15.11 
広角     中間     望遠
焦点距離       5.16    17.70    77.90  
Fナンバー      3.21     4.31     5.77  
半画角（度）   33.18    12.35     2.85  
像高           3.37     3.88     3.88  
レンズ全長    74.73    75.26    88.86 
BF             7.66    11.46     6.62 
d 5            0.53     9.29    18.24  
d11            5.36     0.93     0.74  
d15           18.00     6.54     0.42  
d24            3.13     9.63    12.59  
d26            7.14     8.31    16.30  
d28            4.88     8.67     3.83